(57)【特許請求の範囲】
【請求項１】
天板の後端部に、ケーブル類を机上に引出すための平面視四角形の配線空間が後ろ向きに開口するように切り開き形成されており、前記配線空間に、当該配線空間の内側面に重なるサイド部とその前端間に繋がった基部とを有する平面視コの字状のカバー受けが装着されており、
前記カバー受けに、平面視四角形で底板と周壁とを有するトレー状のカバーが、下向き開口姿勢と上向き開口姿勢とのいずれも選択して嵌め込みできるようになっており、前記カバー受けの左右サイド部には、前記カバーが載る支持片を、当該支持片の後端をサイド部の後端よりも手前に位置させた状態で設けており、前記カバーは、水平姿勢から跳ね上げ回動可能な状態で前記カバー受けに取り付けられている構成であって、
前記カバー受けの左右サイド部の内側面でかつ前記支持片よりも後ろの部位に、前記カバーの回動支点になる係合手段を設けている一方、前記カバーの左右外側面にも回動支点になる係合手段を設けており、これらカバー受けの係合手段とカバーの係合手段とは弾性に抗して係脱自在である、
机。
【請求項２】
前記カバーのうち周壁で囲われた凹部に、当該凹部を前後に仕切る左右横長の中仕切りが、前後いずれかの壁に寄せた状態で設けられている、
請求項１に記載した机。
【請求項３】
前記カバーを水平姿勢にして前記の係合手段で保持した状態で、前記カバーの前面とカバー受けの基部との間に細幅の通線部が空いており、前記カバー受けの基部に、前記通線部に向けて突出して前記カバーの前向き移動を規制する仕切部が設けられている、
請求項１又は２に記載した机。
【発明の詳細な説明】
【技術分野】
【０００１】
本願発明は、ケーブル類を机上に引き出すための配線空間を有する机に関するものである。
【背景技術】
【０００２】
机の後端部に上下開口の配線空間を設けて、この配線空間からケーブル類を机上に引き出すことは広く行われている。配線空間を形成する手段としては、天板の後端部を部分的に切欠く場合と、天板の後ろに左右横長のパネルやビーム等のバック部材を配置し、天板とバック部材との間の空間を配線空間とする場合とがある。後者の場合は、配線空間は天板の後面に沿って左右に長く延びることになる（但し、脚等の支持部材の箇所では配線空間は途切れることになる。）。
【０００３】
いずれにしても、配線空間はカバーで覆われていることが普通であり、前者のように天板の後部を部分的に切欠くことで配線空間を形成した机のカバーの例が、特許文献１，２に記載されている。なお、カバーは、配線作業を容易に行えるように着脱式又は開閉式になっているのが普通であり、また、一般に、カバーを取り付けた状態でも配線機能が維持されるように、配線空間は部分的に開口している（配線通路が残っている。）。
【０００４】
特許文献１では、カバーは天板の上面に重なり得るように板状になっており、カバーの前後位置を調節することで開口面積を調節できるようになっている。他方、特許文献２では、カバーは左右横長の軸心回りに回動するようになっており、カバーを跳ね上げ回動させると、配線空間を大きく開口させることができる。
【先行技術文献】
【特許文献】
【０００５】
【特許文献１】特開２００９−１１２６９５号公報
【特許文献２】特許第４３４９０５３号公報
【発明の概要】
【発明が解決しようとする課題】
【０００６】
さて、特許文献１，２から明らかなように、配線空間を塞ぐカバーは空間の閉塞機能しか持っておらず、他の機能は備えていない。すなわち、配線空間は配線作業の便宜のためにある程度の大きさになっていることから、配線空間が開いたままであると机上に置いた物品が配線空間に落ちてしまうことがあり、そこで、物品の落下を防止するためにカバーを設けているのであり、従って、カバーは空間の閉塞機能を有するに過ぎない。
【０００７】
他方、人が机を使用するにおいて各種の文具類が使用されるが、これら文具類の機能を机自体が有していると、それだけ便利である。本願発明はこのような着想に基づいて成されたものであり、ユーザーフレンドリーな机を提供することを目的とするものである。
【課題を解決するための手段】
【０００８】
前記目的を達成すべく本願発明者たちは、各請求項の発明を成した。このうち請求項１の発明は、
「天板の後端部に、ケーブル類を机上に引出すための平面視四角形の配線空間が後ろ向きに開口するように切り開き形成されており、前記配線空間に、当該配線空間の内側面に重なるサイド部とその前端間に繋がった基部とを有する平面視コの字状のカバー受けが装着されており、
前記カバー受けに、平面視四角形で底板と周壁とを有するトレー状のカバーが、下向き開口姿勢と上向き開口姿勢とのいずれも選択して嵌め込みできるようになっており、前記カバー受けの左右サイド部には、前記カバーが載る支持片を、当該支持片の後端をサイド部の後端よりも手前に位置させた状態で設けており、前記カバーは、水平姿勢から跳ね上げ回動可能な状態で前記カバー受けに取り付けられている」
という基本構成になっている。
【０００９】
そして、上記基本構成において、前記カバー受けの左右サイド部の内側面でかつ前記支持片よりも後ろの部位に、前記カバーの回動支点になる係合手段を設けている一方、前記カバーの左右外側面にも回動支点になる係合手段を設けており、これらカバー受けの係合手段とカバーの係合手段とは弾性に抗して係脱自在である。
【００１０】
請求項２の発明は、請求項１において、前記カバーのうち周壁で囲われた凹部に、当該凹部を前後に仕切る左右横長の中仕切りが、前後いずれかの壁に寄せた状態で設けられている。
【００１１】
請求項３の発明は、請求項１又は２において、前記カバーを水平姿勢にして前記の係合手段で保持した状態で、前記カバーの前面とカバー受けの基部との間に細幅の通線部が空いており、前記カバー受けの基部に、前記通線部に向けて突出して前記カバーの前向き移動を規制する仕切部が設けられている。
【発明の効果】
【００１２】
【００１３】
机を使用するにおいて筆記具類やチップ型メモリ類などの小物は必携品と言えるが、本願発明では、配線空間用のカバーを小物収容トレーに兼用できるため、机上をすっきりさせることができて頗る重宝である。また、カバーは、下向きに開口した姿勢でも配置できるため、カバーをトレーとして使用しない場合は机上面をスッキリとさせることができるのであり、このように、使用者の要望に応じた使い分けを選択できるため、使い勝手が特に優れている。
ケーブルを配線したり確認したりする場合は、カバーを取り外すことも可能であるが、本願発明では、トレー状のカバーを跳ね上げ回動させることができるため、力を要せずに、ワンタッチ操作によって切り開き部を大きく開口させることができる。
【００１４】
請求項２のように凹部に中仕切りを設けると、トレーとして使用するにおいて小物の整理機能に優れており、このため、使い勝手がより一層優れている。
【図面の簡単な説明】
【００１５】
【図１】実施形態に係る机の外観を示す図で、（Ａ）は正面方向からの斜視図、（Ｂ）は分離斜視図である。
【図２】（Ａ）は後ろから見た斜視図、（Ｂ）は後ろからの分離斜視図である。
【図３】（Ａ）は机を内部から見た斜視図、（Ｂ）は側面図、（Ｃ）はケーブル受けを下方から見た斜視図である。
【図４】（Ａ）は机の後部の斜視図、（Ｂ）は机の後部の分離斜視図である。
【図５】（Ａ）は要部の平面図、（Ｂ）は要部の一部省略分離平面図である。
【図６】（Ａ）は要部の分離斜視図、（Ｂ）は要部の斜視図である。
【図７】（Ａ）は要部の分離斜視図、（Ｂ）は要部の斜視図である。
【図８】要部の分離斜視図である。
【図９】（Ａ）（Ｂ）とも要部の分離斜視図である。
【図１０】要部の一部破断分離斜視図である。
【図１１】他の実施形態を示す図である。
【発明を実施するための形態】
【００１６】
次に、本願発明の実施形態を図面に基づいて説明する。以下の説明で方向を特定するため「前後」「左右」の文言を使用するが、これは、机を普通の姿勢で使用する人の向きを基準にしている。従って、机の間口方向が左右方向であり、奥行き方向が前後方向である。前と後ろについては、使用者に近い側を前として、使用者から遠い背面の箇所を後ろとして定義している。
【００１７】
(1).机の概略
図１〜３に示すように、机は、平面視四角形（長方形）の天板１と、これを左右両側部において支持する左右の脚２とを有する。天板１は木質系であるが、スチール製のものを使用することも可能である。脚２は、棒状の前後脚支柱３，３′をその上端において水平状の上フレーム４で連結した門型になっており、上フレーム４に前後一対のスペーサ５をボルトで固定し、このスペーサ５に天板１をボルトで固定している。従って、天板１と上フレーム４との間には、ケーブル類を挿通できる程度の間隔が空いている。
【００１８】
脚支柱３，３′及び上フレーム４は中空で概ね四角形になっており、両者に嵌入する側面視Ｌ形の連結ブラケットを介して一体に連結されている。また、左右脚２における後部脚支柱３の上部間にはビーム６が配置されており、ビーム６と左右の後部脚支柱３とがボルトで固定されている。なお、ビーム６の固定手段としては、後部脚支柱３の内側面に、ビーム６の端部に嵌入する連結用ブラケット突起（図示せず）を固定し、この連結用ブラケット突起にビーム６をボルトで固定している。
【００１９】
天板１の後端部のうち左右中間部には、後ろ向きに開口した平面視四角形の切り開き部７を形成しており、この切り開き部７を配線通路と成している。そして、切り開き部７には、これを塞ぐカバー８を装着している。カバー８は着脱自在である。天板１の後部は、切り開き部７を形成したことで強度が弱くなるおそれがある。そこで、天板１のうち切り開き部７を挟んだ左右両側の部位は、ビーム６に取り付けた天板支持ブラケット９で下方から支持されている。
【００２０】
また、ビーム６の下部には、ケーブル受け１０と、その上方に位置したコネクタサポート１１とが取り付けられている。ケーブル受け１０は、ビーム６に左右スライド自在に取り付けられている。ビーム６には、複数のケーブル受け１０を装着することも可能である。
【００２１】
図３（Ａ）に示すように、ビーム６は、後部脚支柱３の上端部でかつ略後半部に連結されている。そして、図４に明瞭に示すように、ビーム６は、手前に突出した上下の折り返し部１２ａ，１２ｂを有するチャンネル状の基板１２を有しており、基板１２の前面に、側面視凸形の補強材１３を溶接で固着している。基板１２の上下折り返し部１２ａ，１２ｂは、それぞれ後ろ向きの内向き片１２ａ′，１２ｂ′を有する。また、補強材１３は前向き凸部１３ａを有しており、そこで、ビーム６の内部には、補強材１３の前向き凸部１３ａを挟んだ上下両側に、蟻溝形式の上係合溝６ａと下係合溝６ｂとが形成されている。
【００２２】
天板支持ブラケット９は、ビーム６の上係合溝６ａに嵌まる嵌合部９ａと、天板１の下面にビスで固定される受け部９ｂと、これらを繋ぐ傾斜状のアーム部９ｃとを有している。受け部９ｂは平面視で半分が切り開き部７に露出しており、従って、平面視で略半分の部位が天板１に固定され、平面視で略半分の部位は、後述するカバー受け１９に下方から重なっている。
【００２３】
コネクタサポート１１は板金製品であり（樹脂製でもよい）、左右天板支持ブラケット９のアーム部９ｃの間に配置されている。コネクタサポート１１は、コンセント１１ｃを固定できる本体部１１ａを有しており、本体部１１ａの上端に、ビーム６の上係合溝６ａに嵌まる左右一対の係合片１１ｂを一体に形成している。
【００２４】
コネクタサポート１１の係合片１１ｂは側面視下向き開口コの字形になっており、その先端が、ビーム６を構成する補強材１３の凸部１３ａに設けたスリットに上から嵌まっている。コネクタサポート１１の係合片１１ｂに、天板支持ブラケット９における嵌合部９ａのうちアーム部９ｃから内向きに張り出した部位が上から重なっている。ケーブル受け１０は上向きに開口したトレー状の形態を成しており、その後端には、ビーム６の下係合溝６ｂに嵌まる嵌合部１０ａを設けている。
【００２５】
(2).カバー及びその取り付け構造
次に、カバー８及びその取り付け構造を、図５〜図１０に基づいて説明する。カバー８は樹脂製であり、例えば図７に示すように、内部に小物を収容できるように浅いトレー状（箱状）の形態になっている。
【００２６】
従って、カバー８は、底板１４と前壁１５と後ろ壁１６と左右のサイド壁１７とを有しており、かつ、内部には、後ろ壁１６に寄った状態で左右横長の中仕切り１８を設けている。前壁１５と後ろ壁１６と左右のサイド壁１７とで、周壁が構成されている。カバー８は、全体として天板１の厚さよりやや薄い上下寸法になっている。また、中仕切り１８は各壁１５，１６，１７よりも低い高さになっている。本実施形態のカバー８は前後の方向性はないので、左右横長の壁に前後の違いはないが、便宜的に、中仕切り１８に近いものを後ろ壁１６と呼んでいる。
【００２７】
天板１の切り開き部７には、カバー８を取り付けるためのカバー受け１９が固定されている。カバー受け１９は樹脂製であり、切り開き部７の内面に重なるように、板状の基部２０と、同じく板状の左右サイド部２１とを有する平面視コの字形に形成されている。基部２０及びサイド部２１の上端には、天板１の上面に重なるフランジ片２２を一体に設けている。フランジ片２２の外周縁の上面は、天板１に向けて傾斜している。
【００２８】
図９に示すように、切り開き部７の内周面のうち内底面７ａの左右中間部と内側面７ｂの後端部とに、角形の凹溝３２を形成している一方、カバー受け１９の基部２０とサイド部２１とには、凹溝３２に入り込む嵌合突起３１を設けており、これら凹溝３２と嵌合突起３１とによって位置決めをしていると共に、基部２０とサイド部２１とをビス２５で切り開き部７に固定している。
【００２９】
カバー受け１９の基部２０は、切り開き部７の内底面７ａに直接に重なっているが、カバー受け１９のサイド部２１には外向きのスペーサ片２６を設けており、スペーサ片２６が切り開き部７の内側面７ｂに当接している。従って、カバー受け１９のサイド部２１と切り開き部７の内側面７ｂとの間には空間が空いている。このため、サイド部２１には、切り開き部７の内側面７ｂに当接する凹陥部２７を設けており、ビス２５の頭は凹陥部２７に入り込んでいる。
【００３０】
図５（Ａ）や図７（Ｂ）示すように、カバー受け１９の基部２０とカバー８との間には、ケーブルＣを机上に引き出すための通線部７ａが開口している。そして、図９（Ｂ）に明瞭に示すように、カバー受け１９の基部２０のうち左右両端寄りの部位に、左右一対の仕切り部２８を後ろ向きに突設しており、このため、通線部７ａは左右３つのエリアに区分されている。これにより、ケーブル類Ｃを左右に捌いた状態で机上に引き出すことができる。なお、仕切り部２８は、カバー８の前向き移動限度も規制している。
【００３１】
仕切り部２８は、横向き張り出し部２８ａを有する平面視Ｌ形に形成されており、このため、横向き張り出し部２８ａと基部２０との間は細幅部７ｃになっている。この細幅部７ｃには、通信線のような細いケーブルＣを通すことができる。図７に示すように、横向き張り出し部２８ａの前面には、左右外側に行くに従って前後幅が小さくなる平面視三角形のリブ２９を形成している。このため、細いケーブルＣをリブ２９と基部２０との間に挟み込むことができる。なお、仕切り部２８は左右の横向き張り出し部２８ａを有する平面視Ｔ形にすることも可能である。
【００３２】
仕切り部２８は、下向きの垂下片２８ｂを有していてポケット状に形成されており、垂下片２８ｂで囲われた内側にビス２５の頭が配置されている。すなわち、カバー受け１９の基部２０は、仕切り部２８の箇所において天板１にビス２５で固定されている。カバー受け１９の内角部の下端には、平面視三角形のコーナー３０を設けている。カバー受け１９における基部２０のうち左右中間部と左右端部との３カ所、及び、サイド部２１の先端部には、補助の位置決め突起３１を突設している。他方、切り開き部７の内面には、位置決め突起３１が嵌まる位置決め穴３２を空けている。
【００３３】
カバー受け１９におけるサイド部２１の下端には、カバー８の左右側部が載る支持片３５を内向きに突設している。支持片３５はサイド部２１の全長には延びておらず、サイド部２１の前端と後端との間に配置されている。
【００３４】
カバー８は支持片３５で支持された状態で前後２つの位置に変更自在であると共に、左右横長の軸心回りに跳ね上げ回動させることができる。また、既述のようにカバー受け１９に対しては着脱自在である。
【００３５】
そして、カバー８をカバー受け１９に前後位置変更自在及び跳ね上げ回動自在並びに着雑自在と成すための手段として、本実施形態では、図８や図９（Ｂ）や図１０から容易に理解できるように、カバー８における左右サイド壁１７の外面に、係合手段として、前後一対の係合凹部３６を設けている一方、カバー受け１９のサイド部２１には、同じく係合手段として、前後一対ずつの係合凹部３６に選択的に嵌まる係合凸部３７を設けている。係合凹部３６及び係合凸部３７は、球の一部を成すように曲面に形成されている。例えば図９（Ｂ）に示すように、カバー８における左右サイド壁１７の外面には、横長の凹み（或いはリブ）を多段に形成している。
【００３６】
係合凹部３６は、凹陥部２７の前後両側に位置した片持ち梁状の舌状片３８の先端に設けられている。すなわち、舌状片３８はその付け根を除いてスリット３９で囲われており、このため、樹脂の持つ弾性により、舌状片３８は係合凹部３６が左右動するように撓み変形し得る。既述のように、カバー受け１９のサイド部２１と切り開き部７の内側面７ｂとの間には空間が空いているが、この空間の存在により、舌状片３８がカバー８から逃げる方向に大きく撓み変形することが許容されている。
【００３７】
係合凹部３６をカバー８に設けて、係合凸部３７をカバー受け１９に設けることも可能である。また、係合凹部３６と係合凸部３７とは曲面構造にすることに限らず、例えば、係合凸部３７をピン状に形成して係合凹部３６を丸穴に形成することも可能である。また、係合凹部３６と係合凸部３７とを円錐状又は台錘状に形成することも可能である。更に、係合凹部３６は雌型嵌合部の一例で係合凸部３７は雄型嵌合部の一例であるが、他の係合手段により、カバー８を、着脱自在及び前後位置変更自在並びに回動自在と成すことが可能である。係合凹部３６と係合凸部３７とを球面状やテーパ状に形成すると、誘い込み効果により、着脱が容易になる。
【００３８】
図８に示すように、手前に位置した一対の係合凹部３６の前後間隔Ｗ１と、後ろに位置した一対の係合凹部３６の前後間隔Ｗ１とは同じ寸法に設定されており、また、前後対の係合凹部３６の間隔寸法Ｗ２と前後係合凸部３７の間隔寸法Ｗ２も、同じ寸法になっている。また、嵌合凹部３６はカバー８の上下中間高さ位置に設けられており、上下面からの寸法Ｗ３は、係合凸部３７と支持片３５との上下間隔寸法Ｗ３′と同じになっている。
【００３９】
更に、前後端に位置した係合凹部３６とカバー８の前後端との間隔寸法Ｗ４は、後ろに位置した係合突部３７とサイド部２１の後端との間隔寸法Ｗ４′と同じ寸法であると共に、手前に位置した係合凸部３７と仕切り部２８との間隔寸法Ｗ４″と同じ寸法になっている。また、図５（Ａ）に示すように、支持片３５の後端と後ろ側の係合凸部３７との間隔寸法Ｗ５は、カバー８の全体の厚さ寸法の半分の寸法Ｗ３と略同じか僅かに大きい寸法に設定している。
【００４０】
(3).まとめ
以上の構成において、既述のとおり、舌状片３８が撓み変形することで、カバー８の係合凹部３６を係合凸部３７は嵌脱させることができる。このため、カバー８は、舌状片３８を撓み変形させることでカバー受け１９に着脱自在である。この場合、Ｗ３とＷ３′とが同じ寸法であるため、カバー８は上下いずれに開口した姿勢であってもカバー受け１９に取り付けることができ、このため、カバー８は、使用者の好みに等に応じて、単なる蓋として使用したり小物入れとして使用したり、使用態様を任意に選択できる。いずれの状態でも係合凸部３７と係合凹部３８とが嵌まり合っているため、カバー８は人が手が触れた程度では動かないように、安定した状態に保持されている。
【００４１】
また、Ｗ２とＷ２′とが等しいため、カバー８は、ある程度の力をかけると前後にスライドさせて、係合凸部３７を前後の係合凹部３６のいずれかに選択して嵌合させることができる。これにより、カバー８と基部２０との間の配線通路の間隔を２段階に広狭調節することができる。従って、配線通路の面積をケーブルの量に応じて変更できる。このため使い勝手がよい。
【００４２】
図５（Ａ）に示すように、カバー受け１９の後端面はビーム６の後端面よりも若干の寸法Ｗ６だけ手前にずれている。そこで、この寸法Ｗ６を前後係合凹部３６の間隔寸法Ｗ１と略同じに設定することにより、カバー８を平面視でビーム６の後ろにはみ出ないように設定することも可能であるし、逆に、Ｗ１をＷ６よりも大きい寸法に設定してもよい。但し、机を背中合わせに配置することも多いので、互いの干渉を回避するには、Ｗ１は、Ｗ６と等しいか僅かに小さい寸法に設定するのが好ましいと言える。
【００４３】
係合凸部３７と係合凹部３６とは軸受けとしても機能するので、カバー８は、後ろに位置した左右係合凸部３７を結ぶ線Ｏ（図５（Ｂ）参照）を中心にして跳ね上げ回動させることができる。ケーブルＣを配線したり確認したりする場合は、カバー８を取り外すことも可能であるが、跳ね上げ回動させることにより、力を要せずに、ワンタッチ操作によって切り開き部７を大きく開口させることができる。
【００４４】
本実施形態のように、カバー受け１９をビス２５で天板１に締結するにおいて、仕切り部２８の箇所においてビス２５で締結したり、凹陥部２７の箇所においてビス２５で締結したりすると、ビス２５の頭は凹部に隠れているため、仮にねじ込み作業においてビス２５の頭に傷が付いてバリが出てもケーブルＣが接触することはないため、安全性を向上できる。なお、本実施形態のカバー８は前後左右表裏の方向性はないため、任意の姿勢に配置できる。
【００４５】
(4).他の実施形態
図１１では、カバーの別例である他の実施形態を示している。このうち（Ａ）に示す例では、カバー８の底板１４を中途高さに配置することにより、表裏両側に収納凹部を形成している（２つの収納凹部の深さを異ならせている。）。片方の壁１６に近接した状態で中仕切り１８を設けることで前後幅が僅かの横長溝を形成し、この横長溝をカード類の挿入に利用することも可能である。中仕切り１８を複数設けることも可能であり、また、縦横に延びる仕切りを設けることも可能である。
【００４６】
（Ｂ）に示す例では、付加機能部の例として、ペン立て穴５６を設けている。この例では凹部がない側にペン立て穴５６を設けているが、開口した部位にペン立て部を設けることも可能である。（Ｃ）に示す例では、凹所を塞ぐ回動式の蓋板５７を設けている。蓋板５７は、メモを貼ったり写真を装着したりする表示板として機能させることも可能である。（Ｄ）に示す例では、底板１４に浅い凹み５９を形成して、表示板５８を開閉自在に装着している。表示板５８は、不使用時には凹み５９にぴったり収まるようになっている。
【００４７】
【産業上の利用可能性】
【００４８】
本願発明は、実際に机に具体化できる。従って、産業的に利用できる。
【符号の説明】
【００４９】
１  天板
２  支持体の一例としての脚
３  脚支柱
６  ビーム
７  切り開き部（配線空間）
８  カバー
９  天板支持ブラケット
１０  ケーブル受け
１１  コネクタサポート
１４  底板
１５  前壁（周壁）
１６  後ろ壁（周壁）
１７  サイド壁（周壁）
１８  中仕切り
１９  受け部材（エッジ部材）
２０  基部
２１  サイド部
２８  仕切り部
３５  支持片
３６  係合凹部（係合手段）
３７  係合凸部（係合手段）
【図１】
0005981121.tif 000002
【図２】
0005981121.tif 000003
【図３】
0005981121.tif 000004
【図４】
0005981121.tif 000005
【図５】
0005981121.tif 000006
【図６】
0005981121.tif 000007
【図７】
0005981121.tif 000008
【図８】
0005981121.tif 000009
【図９】
0005981121.tif 000010
【図１０】
0005981121.tif 000011
【図１１】
0005981121.tif 000012